(57)【特許請求の範囲】
【請求項１】
流体が通過する流路およびこの流路の先端に形成された放出口を有するノズル本体と、上記ノズル本体に対して接近離間可能に取り付けられる操作部材と、上記流路の途中に配置されて、上記ノズル本体に対する上記操作部材の相対位置に応じて流路を開閉する開閉弁とを有するノズルガンであって、
上記ノズル本体に対してロック姿勢および非ロック姿勢の間で回動可能に取り付けられるとともにロック部を有するストッパーを有し、
上記操作部材が上記ノズル本体に接近したときに上記ストッパーをロック姿勢にすると上記ロック部が上記操作部材に係合して上記操作部材が上記ノズル本体から離間するのを防止することができ、
上記ストッパーを非ロック姿勢にすると上記ロック部は上記操作部材に係合せず上記操作部材が上記ノズル本体から離間することができ、かつ、
上記ストッパーは、上記操作部材の移動軌道上に配置される受け部を有し、
上記ストッパーが非ロック姿勢にあるときに上記操作部材を上記ノズル本体に接近させると、上記受け部が上記操作部材に押圧されることにより、上記ストッパーが上記ノズル本体に設けられた回動ガイド部に当接しながらロック姿勢に回動させられることを特徴とするノズルガン。
【請求項２】
上記ストッパーがロック姿勢に対して非ロック姿勢の反対側に回動して退避姿勢となることができるとともに、上記ノズル本体には上記ストッパーが上記退避姿勢のときに当接して上記退避姿勢を固定する保持部を設けたことを特徴とする請求項１記載のノズルガン。
【請求項３】
上記操作部材が上記ノズル本体から離間した位置にあり、かつ、上記ストッパーが上記ロック姿勢である状態から、上記操作部材を上記ノズル本体に接近させると、上記操作部材が上記ストッパーに当接して押圧する方向が、上記ストッパーの回動の中心軸に対して偏心していることにより、上記操作部材が上記ストッパーを回動させることを特徴とする請求項１または２記載のノズルガン。
【請求項４】
上記ストッパーに当接して、上記ストッパーの回動方向に対して交差する方向に上記ストッパーががたつくのを防止するストッパー抑止部を上記ノズル本体に設けたことを特徴とする請求項１から３のいずれかに記載のノズルガン。
【請求項５】
上記ストッパーが上記ロック姿勢にあるとき、上記ストッパーと上記ノズル本体との摩擦力によって、上記ストッパーの自重による上記非ロック姿勢への回動が阻止されることを特徴とする請求項１記載のノズルガン。
【請求項６】
本体と、
この本体に接近離間可能に取り付けられた操作部材と、
この操作部材を本体から離間する方向に付勢する付勢部材と、
上記本体に対してロック姿勢および非ロック姿勢の間で回動可能に取り付けられるとともにロック部を有するストッパーとを有し、
上記操作部材が上記本体に接近したときに上記ストッパーをロック姿勢にすると上記ロック部が上記操作部材に係合して上記操作部材が上記本体から離間するのを防止することができ、
上記ストッパーを非ロック姿勢にすると上記ロック部は上記操作部材に係合せず上記操作部材が上記本体から離間することができるレバーロック機構であって、
上記ストッパーは、操作部材の移動軌道上に配置される受け部を有し、
上記ストッパーが非ロック姿勢にあるときに上記操作部材を上記本体に接近させると、上記受け部が上記操作部材に押圧されることにより、上記ストッパーが上記本体に設けられた回動ガイド部に当接しながらロック姿勢に回動させられることを特徴とするレバーロック機構。
【発明の詳細な説明】
【技術分野】
【０００１】
本発明は、主に家庭などで園芸や清掃、農業などにおいて散水を行う散水ノズルや、給油ノズル、エアノズルとして用いられるノズルガンに関し、特に使用者が手に持って操作するノズルガンに関する。
また、本発明は、ノズルガンなどに用いられるレバーロック機構に関する。
【背景技術】
【０００２】
流体を散布するノズルガンは、産業上および家庭内において様々な用途に使用される。
家庭においては、ホースの先端に取り付けられて任意に散水と止水とを切り換えられる散水ノズルが広く園芸、農業、清掃などに使用されている。このような散水ノズルは、ホースを介して水道等の給水設備から水の供給を受け、先端に形成した放出口から散水を行う。
【０００３】
従来の散水ノズルには、ノズル本体内部には基端の導入口から先端の放出口までを接続する水の流路を形成し、この流路中に弁座および弁体からなる開閉弁を配置するとともに、ノズル本体の前方に操作レバーを接近離間可能に取り付け、操作レバーの接近離間に連動して弁体を弁座に接近離間させ、開閉弁の開閉を行うものがあった（特許文献１）。
また、このような従来の散水ノズルの中には、操作レバーを固定することで、使用者が操作レバーを握り続けることなく散水状態を保持することができるロック機構を備えたものがあった。
【０００４】
特許文献１には、ロック用リングをノズル本体に取り付け、操作レバーを握り込んだ位置でロック用リングを操作レバーに係合することにより、操作レバーがノズル本体から離間するのを防止することができる散水ノズルが記載されている。
特許文献１の散水ノズルでは、操作レバーをロックする際およびロックを解除する際に、片方の手で操作レバーを握りながら他方の手でロック用リングを操作しなければならず、両手がふさがって不便であった。
【０００５】
また、特許文献２には、ノズル本体に取り付けられて操作レバー側に突出するアームと、操作レバーに取り付けられたカムとからなるロック機構が記載されている。このロック機構によれば、使用者が操作レバーを握り込むと、操作レバーの接近に伴って、アームに設けられた係止片がカムの側面に形成された摺動路を摺動し、摺動路中に凹設された係止凹部に係止して、ノズル本体と操作レバーとの間隔を保持することにより、操作レバーがノズル本体から離間するのを防止することができる。係止片が係止凹部に係止したロック状態から再度操作レバーを握り込むと、係止が解除され、開閉弁は閉状態に戻される。
【０００６】
特許文献２の散水ノズルでは、閉弁状態から操作レバーを握り込むたびに必ず開弁状態でロックされるため、ロックを使用せずに散水を行いたいときに不便であった。
また、ロック機構に必要な部品であるアームおよびカムが、操作レバーの内部に配置されていたため、破損した際の部品交換が容易ではなかった。
【０００７】
特許文献３には、ノズル本体と操作レバーとの間に保持されて、操作レバーを握り込むと自動的に操作レバーに係合して、操作レバーがノズル本体から離間するのを防止するストッパーを有する散水ノズルが記載されている。
この散水ノズルには、操作レバーに取り付けられた押しボタンを押すことにより、この押しボタンがストッパーを押圧してストッパーと操作レバーとの係合を解除するロック解除手段が設けられていた。
【０００８】
しかし、特許文献３の散水ノズルでは、ロックを解除するために特別な押しボタンを設ける必要があり、装置が複雑化していた。
【先行技術文献】
【特許文献】
【０００９】
【特許文献１】特開平８−１０４９号公報
【特許文献２】特許第４４８２８３２号公報
【特許文献３】特許第４７８９１４３号公報
【発明の概要】
【発明が解決しようとする課題】
【００１０】
本発明は上記問題点を解決するためになされたものであり、ロックおよびロック解除の操作の利便性に優れるノズルガンおよびレバーロック機構を提供することを課題とする。
また、本発明は、ロックのためのストッパーの破損を防止することができるノズルガンを提供することを課題とする。
【課題を解決するための手段】
【００１１】
本発明において、上記課題が解決される手段は以下の通りである。
第１の発明は、流体が通過する流路およびこの流路の先端に形成された放出口を有するノズル本体と、上記ノズル本体に対して接近離間可能に取り付けられる操作部材と、流路の途中に配置されて、上記ノズル本体に対する上記操作部材の相対位置に応じて流路を開閉する開閉弁とを有するノズルガンであって、上記ノズル本体に対してロック姿勢および非ロック姿勢の間で回動可能に取り付けられるとともにロック部を有するストッパーを有し、上記操作部材が上記ノズル本体に接近したときに上記ストッパーをロック姿勢にすると上記ロック部が上記操作部材に係合して上記操作部材が上記ノズル本体から離間するのを防止することができ、上記ストッパーを非ロック姿勢にすると上記ロック部は上記操作部材に係合せず上記操作部材が上記ノズル本体から離間することができ、かつ、上記ストッパーは、操作部材の移動軌道上に配置される受け部を有し、上記ストッパーが非ロック姿勢にあるときに上記操作部材を上記ノズル本体に接近させると、上記受け部が上記操作部材に押圧されることにより、上記ストッパーが上記ノズル本体に設けられた回動ガイド部に当接しながらロック姿勢に回動させられることを特徴とする。
【００１２】
第２の発明は、上記ストッパーがロック姿勢に対して非ロック姿勢の反対側に回動して退避姿勢となることができるとともに、上記ノズル本体には上記ストッパーが上記退避姿勢のときに当接して上記退避姿勢を固定する保持部を設けたことを特徴とする。
【００１３】
第３の発明は、上記操作部材が上記ノズル本体から離間した位置にあり、かつ、上記ストッパーが上記ロック姿勢である状態から、上記操作部材を上記ノズル本体に接近させると、上記操作部材が上記ストッパーに当接して押圧する方向が、上記ストッパーの回動の中心軸に対して偏心していることにより、上記操作部材が上記ストッパーを回動させることを特徴とする。
【００１４】
第４の発明は、上記ストッパーに当接して、上記ストッパーの回動方向に対して交差する方向に上記ストッパーががたつくのを防止するストッパー抑止部を上記ノズル本体に設けたことを特徴とする。
【００１５】
第５の発明は、上記ストッパーが上記ロック姿勢にあるとき、上記ストッパーと上記ノズル本体との摩擦力によって、上記ストッパーの自重による上記非ロック姿勢への回動が阻止されることを特徴とする。
【００１６】
第６の発明は、本体と、この本体に接近離間可能に取り付けられた操作部材と、この操作部材を本体から離間する方向に付勢する付勢部材と、上記本体に対してロック姿勢および非ロック姿勢の間で回動可能に取り付けられるとともにロック部を有するストッパーとを有し、上記操作部材が上記本体に接近したときに上記ストッパーをロック姿勢にすると上記ロック部が上記操作部材に係合して上記操作部材が上記本体から離間するのを防止することができ、上記ストッパーを非ロック姿勢にすると上記ロック部は上記操作部材に係合せず上記操作部材が上記本体から離間することができるレバーロック機構であって、上記ストッパーは、操作部材の移動軌道上に配置される受け部を有し、上記ストッパーが非ロック姿勢にあるときに上記操作部材を上記本体に接近させると、上記受け部が上記操作部材に押圧されることにより、上記ストッパーが上記本体に設けられた回動ガイド部に当接しながらロック姿勢に回動させられることを特徴とする。
【発明の効果】
【００１７】
第１の発明によれば、上記ストッパーは、操作部材の移動軌道上に配置される受け部を有し、上記ストッパーが非ロック姿勢にあるときに上記操作部材を上記ノズル本体に接近させると、上記受け部が上記操作部材に押圧されることにより、上記ストッパーが上記ノズル本体に設けられた回動ガイド部に当接しながらロック姿勢に回動させられることにより、操作部材をノズル本体に接近させるだけでストッパーを自動的にロック姿勢にすることができ、操作部材がノズル本体に接近した位置でロックすることができる。
【００１８】
第２の発明によれば、上記ストッパーがロック姿勢に対して非ロック姿勢の反対側に回動して退避姿勢となることができるとともに、上記ノズル本体には上記ストッパーが上記退避姿勢のときに当接して上記退避姿勢を固定する保持部を設けたことにより、ストッパーによるロックを使用せずに手動で操作部材の位置を調整する操作を任意に選択することができる。
【００１９】
第３の発明によれば、上記操作部材が上記ノズル本体から離間した位置にあり、かつ、上記ストッパーが上記ロック姿勢である状態から、上記操作部材を上記ノズル本体に接近させると、上記操作部材が上記ストッパーに当接して押圧する方向が、上記ストッパーの回動の中心軸に対して偏心していることにより、上記操作部材が上記ストッパーを回動させるため、ストッパーがノズル本体と操作部材とに挟まれて破損するのを確実に防止することができる。
【００２０】
第４の発明によれば、第４の発明は、上記ストッパーに当接して、上記ストッパーの回動方向に対して交差する方向に上記ストッパーががたつくのを防止するストッパー抑止部を上記ノズル本体に設けたことにより、ストッパーががたついて操作レバーをロックできなくなったり破損したりするのを防止することができる。
【００２１】
第５の発明によれば、上記ストッパーが上記ロック姿勢にあるとき、上記ストッパーと上記ノズル本体との摩擦力によって、上記ストッパーの自重による上記非ロック姿勢への回動が阻止されることにより、操作部材をノズル本体に接近させた後、操作レバーをストッパーによって確実にロックすることができる。
【００２２】
第６の発明によれば、上記ストッパーは、操作部材の移動軌道上に配置される受け部を有し、上記ストッパーが非ロック姿勢にあるときに上記操作部材を上記本体に接近させると、上記受け部が上記操作部材に押圧されることにより、上記ストッパーが上記本体に設けられた回動ガイド部に当接しながらロック姿勢に回動させられることにより、操作部材を本体に接近させるだけでストッパーを自動的にロック姿勢にすることができ、操作部材が本体に接近した位置でロックすることができる。
【図面の簡単な説明】
【００２３】
【図１】本発明に係る散水ノズルを示す斜視図である。
【図２】本発明の第一実施形態に係る散水ノズルの弁閉状態を示す部分拡大図である。
【図３】同散水ノズルの操作レバーによるストッパーの回動を示す部分拡大図である。
【図４】同散水ノズルの操作レバーによりストッパーがロック姿勢になった状態を示す部分拡大図である。
【図５】同散水ノズルを弁開状態でロックした状態を示す部分拡大図である。
【図６】本発明の第二実施形態に係る散水ノズルを示す部分拡大図である
【図７】同散水ノズルの弁閉状態を示す部分拡大図である。
【図８】同散水ノズルの操作レバーを最も握り込んだ状態を示す部分拡大図である。
【図９】同散水ノズルを弁閉状態でロックした状態を示す部分拡大図である。
【図１０】同散水ノズルの操作レバーがロック姿勢のストッパーに接触し始めた状態を示す部分拡大図である。
【図１１】同散水ノズルのストッパーの退避姿勢を示す部分拡大図である。
【図１２】同散水ノズルのストッパーの退避姿勢を示す他の部分拡大図である。
【図１３】本発明の第三実施形態に係る散水ノズルを示す断面の説明図である。
【図１４】同第三実施形態に係る散水ノズルの他の例を示す部分拡大図である。
【発明を実施するための形態】
【００２４】
以下、本発明にかかるノズルガンの一例として、第一実施形態に係る散水ノズルについて説明する。
この散水ノズル１は、園芸、農業、清掃、その他の用途において、ホースを介して水道等の給水設備の先端に接続されて散水を行う器具であって、使用者が手に持って使用するものである。
本発明は、散水ノズルの他に、ガソリンスタンドなどで使用される給油ノズルや、気体を噴出するエアノズルなど、使用者が操作レバーを握り込む操作によって流体の放出と停止とを切り換えるあらゆるノズルガンに使用することができる。
【００２５】
図１に示すように、散水ノズル１は、ホース等に接続されて水を導入する接続口２を形成したホースコネクター３ａから上方に延びる略筒状に形成されたグリップ部３と、このグリップ部３の上端から前方に延びるとともに先端に放出口５を形成したノズル部４とからなり、全体としてＬ字形、くの字形もしくはピストル形等の屈曲形状に形成されたノズル本体６を有している。
本明細書においては、使用者が散水ノズル１を持った状態を基準として前後、左右、上下方向を論じる。この場合、放出口５の向きが前方になり、接続口２の向きは真下方向からやや後方に傾いている。
ノズル本体６の内部には、接続口２から放出口５まで延在する水の流路（図示せず）が形成されている。
【００２６】
図１に示すように、グリップ部３は、ホースに接続されるホースコネクター３ａから上方に延びる略筒状に形成され、使用者が手で把持して取り回すことができるようになっている。
グリップ部３の向きは、垂直であってもよいが、図１に示すように傾斜して上方に延びたものであってもよい。
【００２７】
ノズル部４は、グリップ部３の上端から前方に延びる略筒状に形成されている。ノズル部４の先端には放出口５が形成されている。
【００２８】
この散水ノズル１は、ノズル本体６の流路の途中に、通水と止水とを切り換える開閉弁を有している。
開閉弁は、グリップ部３とノズル部４との間に設けられている。
ノズル本体６が屈曲する位置では、グリップ部３からノズル部４への水の流入口が弁座になっており、弁体が弾性部材であるコイルスプリングによってこの弁座に付勢されている（図１３参照）。
弁体によって弁座が塞がれているとき、水が下流へ流れない弁閉状態となる。
他方、コイルスプリングの付勢力に抗して弁体が弁座から離されると、水がグリップ部３からノズル部４へ流れて放出口５から散布される弁開状態となる。
弁体の一端は、ノズル本体６外の前側下方へ突き出ており、この部分をノズル本体６内に向けて押し込むと、弁体がコイルスプリングの付勢力に抗して弁座から離される（図１３参照）。
【００２９】
図１、図２に示すように、弁体を操作するための操作部材として、ノズル部４下部には操作レバー７が取り付けられている。この操作レバー７は、上端を固定端としてノズル部４下部に取り付け、下端を自由端としているため、使用者がグリップ部３を持った手で握り込むことにより前後方向に回動可能となっている。
また、操作レバー７の上部には、弁体の端部を押圧するための突起が設けられている（図１３参照）。
自然状態では、コイルスプリングの付勢力によって弁閉状態となり、操作レバー７もグリップ部３から離間している。
このとき、使用者が操作レバー７を握り込んでグリップ部３に接近させると、操作レバー７が弁体を押し込んで、コイルスプリングの付勢力に反して弁体を弁座から離間させ、弁開状態にすることができる。
また、弁開状態から使用者が操作レバー７を握る手を離すと、コイルスプリングの付勢力によって弁閉状態に戻る。
【００３０】
操作レバー７の材料には、金属、樹脂、ゴム等を用いることができる。
この中では、強度に優れる樹脂または金属を用いるのが好ましい。
さらにその中でも、安価で生産性に優れる樹脂を用いるのがより好ましい。
樹脂の中では、成形が容易な熱可塑性樹脂が好ましい。
熱可塑性樹脂の中では、特に成形が容易なＰＰ（ポリプロピレン）、ＡＢＳ（アクリロニトリル、ブタジエン、スチレン共重合合成樹脂）、ＰＯＭ（ポリアセタール）が好ましい。
その中でも、安価であり、強度に優れるＰＰが特に好ましい。
第一実施形態では、ＰＰを使用した。
【００３１】
図２に示すように、操作レバー７の前面下部には、左右に延びる溝状のロック凹部８が凹設されている。
【００３２】
図２から図５に示すように、ストッパー９は方形枠のうち一辺の一部を切り欠いた部材で、切り欠かれた部分の両側の縁を受け部１０，１０とし、その反対辺の部分をロック部１１としている。
第一実施形態では、図２に示すように、ロック部１１をストッパー９内側へ凹ませて形成しているが、ロック部を直線状に形成してもよいし（図６参照）、ロック部が外側へ膨らむように形成してもよい。
また、ロック部を凹ませたり膨らませる場合にも、図２のように屈曲した形状のほか、円弧その他の緩やかに湾曲した形状でもよい。さらに、図２のようにロック部の全体を凹ませたり膨らませてもよいし、ロック部の一部分だけを凹ませたり膨らませてもよい。
【００３３】
ストッパー９の材料には、金属、樹脂等を用いることができる。
その中でも、使用中の負荷による塑性変形をしにくい点で、金属が好ましい。
金属の中では、錆びにくいＳＵＳ（ステンレス鋼）が好ましい。
第一実施形態では、ＳＵＳを使用した。
【００３４】
図２に示すように、ストッパー９の受け部１０は、ノズル本体６のグリップ部３から前方に突出する左右一対の部材に形成された、前後に延びるレール１２，１２に嵌入している。
これにより、ストッパー９は、レール１２に沿って、前方位置と後方位置との間で前後にスライドすることができる。
【００３５】
図２から図５に示すように、レール１２の左右外側には、一対の回動ガイド部１３，１３がノズル本体６から前方に突出している。
回動ガイド部１３の前端は、レール１２の前端よりも後ろに位置している。
レール１２の後端の位置では、回動ガイド部１３の上面はほぼ水平面になっており、その高さはレール１２の下端に略等しい。
レール１２の前端と後端の中間では、回動ガイド部１３の上面は、前側が次第に低くなる斜面になっている。
【００３６】
ノズル本体６のうち、ストッパー９に当接するレール１２の枠部分や回動ガイド部１３の材料は、金属、樹脂等を用いることができる。
その中でも、耐候劣化に優れ、耐衝撃にも優れる金属、ＰＰ、ＡＢＳ、ＰＯＭを用いるのが好ましい。
金属の中では、成形性の観点から、亜鉛を使用しダイカスト工法によって成形するのが好ましい。
ＰＰ、ＡＢＳ樹脂、ＰＯＭの中では、成形時の収縮率が小さく、成形性に優れるＡＢＳを用いるのが好ましい。
第一実施形態では、亜鉛を使用し、ダイカスト工法によってレール１２や回動ガイド部１３を形成した。
【００３７】
ストッパー９は、前方位置にあるとき、受け部１０を中心軸として、ロック部１１が下方に垂れ下がった非ロック姿勢（図２）から、ロック部１１が前方に突き出たロック姿勢（図４参照）を経て、ロック部１１がほぼ真上を向く退避姿勢（図１１参照）までの間を自在に回動することができる。
【００３８】
前方位置ではストッパー９は上記の通り回動可能であるが、使用者が通常使用する場合、すなわちホースコネクター３ａが略下方を向き、放出口５が前方を向いている場合には、自然状態ではロック部１１の自重によって回動し、非ロック姿勢になる。
【００３９】
第一実施形態の散水ノズルにおいて、図２に示す弁閉状態から使用者が操作レバー７を握り込むと、操作レバー７は後方に回動してノズル本体６に接近する。
このとき操作レバー７は、ちょうど左右のレール１２，１２の間に収まる軌道で移動する。
そのため、ストッパー９の受け部１０が前方位置にあった場合でも、操作レバー７の移動軌道上にある受け部１０は操作レバー７に押圧されて後方位置にスライドする（図３）。また、前方位置から後方位置にスライドする際に、ストッパー９は回動ガイド部１３に当接して非ロック姿勢からロック姿勢へ自動的に回動する。ロック部１１は、ノズル本体６に接近した操作レバー７の下をくぐり抜け、ロック姿勢になったときには操作レバー７の前方に位置する（図４）。
【００４０】
後方位置ではストッパー９が回動ガイド部１３の水平面に乗ることによりロック姿勢のまま保持されるため、ロック部１１が垂れ下がる非ロック姿勢になることはない（図４）。
ストッパー９は後方位置でも上向きの退避姿勢に回動することは規制されないが、自然状態ではロック部１１の自重によってロック姿勢のまま保持される。
【００４１】
このときに操作レバー７を握る手を放すと、コイルスプリングの付勢力によって操作レバー７がノズル本体６から離間しようとする。これにより、図５に示すように、ストッパー９のロック部１１が操作レバー７のロック凹部８に係合し、ストッパー９はロック姿勢のまま前方位置まで移動する。ストッパー９は前方位置よりも前方には移動できないため、操作レバー７もそれ以上ノズル本体６から離間することができず、弁開状態でロックされる。
【００４２】
この状態から操作レバー７をわずかに握ると、ロック部１１とロック凹部８との係合が解除されるが、ストッパー９は前方位置のままで回動自在であるため、ロック部１１の自重で回動して非ロック状態となる。
その後、操作レバー７から手を放すと、コイルスプリングの付勢力によって弁閉状態に戻される（図２）。
【００４３】
また、この散水ノズル１において、使用者が操作レバー７をロックしたくない場合には、弁閉状態のときに、ストッパー９のロック部１１を上方へ回動させて退避姿勢（図１１参照）にしておくことにより、操作レバー７をロックせずに自由に開閉弁の開度を調整することができる。
このときストッパー９は、レール１２との摩擦力によって退避姿勢に保持される。
【００４４】
第一実施形態の散水ノズル１では、弁閉状態（図２）から操作レバー７を握り込み、ノズル本体６に接近させるだけで、ストッパー９を自動的に非ロック姿勢からロック姿勢に回動させることができ（図３、図４）、弁開状態でロックすることができる（図５）。
ロックを解除する際にも操作レバー７をわずかに握って離すだけでよいので、片手で簡単に操作することができる。
【００４５】
また、弁閉状態のときにストッパー９を上方へ回動させて退避姿勢にしておくことにより、ロックを使用しない手動の散水を任意に選択することができる（図１１参照）。
【００４６】
また、ストッパー９が略方形枠状の簡素な構成であるため、安価かつ容易に製造することができる。
さらに、ストッパー９が略方形枠状あるいは略リング状に形成され、操作レバー７のロック凹部８に係合することにより、従来よりもストッパー９の強度を向上させて破損しにくくすることができる。
また、ストッパー９はノズル本体６の外部に取り付けられているため、破損した場合にも容易に交換することができる。
【００４７】
＜第二実施形態＞
第二実施形態の散水ノズル１は、第一実施形態に加えて、ストッパー９が水平方向に回転してしまうのを防止するための構造を有している。
【００４８】
図６に示すように、第二実施形態では、第一実施形態のレール１２の代わりに、一対のレールフック１４，１４を設けている。
このレールフック１４は、ノズル本体６から前方に延び、先端で上方に屈曲している。
これにより、レールフック１４に掛けられたストッパー９は、前方位置と後方位置との間をスライドすることができる。
レールフック１４の左右幅は、ストッパー９の枠内部の左右幅に略等しい。
【００４９】
また、図６に示すように、左右のレールフック１４、１４の中央には、ストッパー抑止部１５が設けられている。
ストッパー抑止部１５は、ストッパー９の受け部１０，１０の間の切り欠き部分に略等しい左右幅を有し、ノズル本体６から前方に突出している。
ストッパー９がノズル本体６に取り付けられると、ちょうどストッパー抑止部１５がストッパー９の受け部１０，１０に挟まれ、ストッパー９が水平方向に回転したり左右方向にがたつくのを阻止することになる。
受け部１０が上方に外れるのを阻止するため、ストッパー抑止部１５の上部には、左右方向に拡張されたルーフ１６が設けられている。
【００５０】
ストッパー９が水平方向に回転したり左右方向にがたついたりすると、操作レバー７をロックできなくなったり、破損したりするおそれがあるが、この散水ノズル１では、前方位置から後方位置までのどの位置においても、ストッパー抑止部１５が受け部１０，１０の間に介在して左右方向の動きを阻止するため、ストッパー９が水平方向に回転するのを防止することができる。
【００５１】
また、第二実施形態では、回動ガイド部１３の水平面が第一実施形態よりも前後方向に短く設定されている。
そのため、図８に示すように操作レバー７をノズル本体６に接近させてストッパー９をロック姿勢にしてから、操作レバー７をノズル本体６からゆっくりと遠ざけると、ロック部１１とロック凹部８とが係合する前に、ロック部１１の自重によってストッパー９が前方へスライドしながら非ロック姿勢に回動する（図７）。
これを利用して、使用者が操作レバー７の握り加減を変えるだけで、容易に散水ノズル１の操作を変更することができる。すなわち、使用者が操作レバー７を握り込んで弁開状態（図８）にした後、操作レバー７をノズル本体６から素早く遠ざければ弁開状態のまま操作レバー７をロックすることができ（図９）、操作レバー７をノズル本体６からゆっくりと遠ざければ操作レバー７をロックせずに手動で散水量を調整することができる（図７）。
【００５２】
また、第二実施形態の散水ノズル１は、ストッパー９が操作レバー７とノズル本体６との間に挟まれて破損するのを防止するための構造を有している。
図７、図１０に示すように、操作レバー７の背面下部には、下側の部分ほど次第に後方に突出するガイド用斜面１７が形成されている。
さらに、操作レバー７の背面下部は、図８に示すようにストッパー抑止部１５に干渉することなくストッパー９の受け部１０を押圧できるように、中央が前側に窪んでいる（図示せず）。
【００５３】
また、図１０に示すように、ストッパー９は、後方位置では、第一実施形態と同様に回動ガイド部１３によってロック姿勢に保持されているが、このときロック部１１は回動の中心に対して水平よりもやや上向きに傾斜している。
【００５４】
操作レバー７がノズル本体６から離間した位置にあり、かつ、ストッパー９が後方位置でロック姿勢にあるときに、操作レバー７を握り込むと、図１０に示すように操作レバー７のガイド用斜面１７がストッパー９のロック部１１に接触し、ストッパー９を押圧して自動的に退避姿勢（図１１）に回動させることができる。
このとき、図１０に示すように、ロック部１１はガイド用斜面１７に沿って摺動しながら回動させられるが、ロック部１１が回動ガイド部１３によってやや上向きに傾斜していることおよびガイド用斜面１７の形状によってロック部１１が下から掬い上げられることから、回動途中のどの位置においても、操作レバー７がストッパー９のロック部１１を押圧する方向がストッパー９の回動の中心軸に対して偏心している。これにより、操作レバー７による押圧がストッパー９を回動させる力に変換されるため、いわゆる死点となってストッパー９に負荷が集中することがなく、ストッパー９の破損を防止することができる。
【００５５】
図７、図１１に示すように、ノズル本体６において、レールフック１４やストッパー抑止部１５の上方には、左右方向に延びる溝である保持凹部１８が刻設されている。
これにより、ストッパー９を退避姿勢にしたときに図１２に示すようにロック部１１を保持凹部１８に嵌合させると、ストッパー９が下方に回動することがなく退避姿勢で固定することができる。
ストッパー９が保持凹部１８に保持されている状態でも、使用者が指でストッパー９を引っ張れば、容易に保持凹部１８から引き出すことができる。
このような保持凹部１８を設けたことにより、ストッパー９をより確実に退避姿勢で保持することができる。
【００５６】
＜第三実施形態＞
第三実施形態は、第二実施形態において、散水ノズル１を弁開状態にした後、ストッパー９がロック姿勢になってから非ロック姿勢に回動するまでの間に、操作レバー７をロック部１１によってロックしやすくしたことを特徴とする。
【００５７】
第三実施形態では、図１３に示すように、開閉弁の弁体１９から見て操作レバー７の反対側に配置された化粧蓋２１の形状を調節したため、操作レバー７を所定位置まで握り込むと、操作レバー７に押された弁体１９が化粧蓋２１に接触し、それ以上操作レバー７をノズル本体６に接近させることができない。
これにより、使用者が操作レバー７を限界まで握った場合、第一実施形態や第二実施形態に比べて、ノズル本体６からやや遠い位置で停止することになる。
【００５８】
この位置でも、ストッパー９は後方位置に押されてロック姿勢となる。
その後、使用者が操作レバー７を離すと、操作レバー７がコイルスプリング１９の付勢力によってノズル本体６から離間しようとするが、操作レバー７がノズル本体６からやや遠い位置で停止しロック凹部８とロック部１１との距離が短くなっていたことにより、ストッパー９が自重で非ロック姿勢に回動するまでの間にロック部１１がロック凹部８に係合して操作レバー７がロックされる。
【００５９】
また、化粧蓋２１の形状を変更する代わりに、図１４のように、ルーフ１６から下方に突き出た段差部２２を設けてもよい。
段差部２２と回動ガイド部１３との間隙の高さは、ストッパー９の受け部１０の高さと略等しい。
段差部２２が設けられたことにより、操作レバー７がノズル本体６に接近し、ストッパー９が後方位置に押されてロック姿勢になると、受け部１０は段差部２２と回動ガイド部１３とに挟持される。
その後、使用者が操作レバー７を離すと、操作レバー７がコイルスプリング２０の付勢力によってノズル本体６から離間しようとするが、受け部１０と段差部２２、回動ガイド部１３との摩擦力によってストッパー９が非ロック姿勢へ回動するのが阻止されるため、ロック部１１がロック凹部８に係合して操作レバー７がロックされる。
操作レバー７をロックしたくない場合には、手でストッパー９を非ロック姿勢に回動させるか、前方位置まで引っ張り自重で回動させればよい。
【００６０】
第三実施形態の散水ノズルでは、使用者が操作レバー７を握り込んでから離した時に、確実に操作レバー７を弁開状態でロックすることができる。
【００６１】
＜変形例＞
第二実施形態の変形例として、受け部１０，１０の中間にストッパー抑止部１５を配置する代わりに、回動ガイド部１３のさらに左右外側に一対のストッパー抑止部を設置して、このストッパー抑止部によってストッパー９の左右端を挟み込むことにより、ストッパー９の水平方向の回転や左右方向のがたつきを防止するようにしてもよい。
【００６２】
また、第二実施形態の変形例として、ガイド用斜面１７と併用して、またはガイド用斜面１７の代わりに、操作レバー７の背面の表面を弾性材料で覆うことによって、ストッパー９の破損を防止する効果を向上させることができる。
【００６３】
第一実施形態および第二実施形態は、操作レバー７がノズル本体６のグリップ部３の前方に配置される散水ノズル１であるが、操作レバーがグリップ部３の後方に配置されるノズルガンに本発明のレバーロック構造を適用してもよい。
また、第一実施形態および第二実施形態のレバーロック構造は、ノズルガン以外に、種々の手動工具等にも適用することができる。
【符号の説明】
【００６４】
１  散水ノズル
２  接続口
３  グリップ部
３ａ  ホースコネクター
４  ノズル部
５  放出口
６  ノズル本体
７  操作レバー
８  ロック凹部
９  ストッパー
１０  受け部
１１  ロック部
１２  レール
１３  回動ガイド部
１４  レールフック
１５  ストッパー抑止部
１６  ルーフ
１７  ガイド用斜面
１８  保持凹部
１９  弁体
２０  コイルスプリング
２１  化粧蓋
２２  段差部
【要約】
【課題】ロックおよびロック解除の操作の利便性に優れるノズルガンを提供する。
【解決手段】ノズル本体６と、ノズル本体６に対して接近離間可能に取り付けられる操作部材７とを有するノズルガンであって、ノズル本体６に対してロック姿勢および非ロック姿勢の間で回動可能に取り付けられるとともにロック部１１を有するストッパー９を有し、操作部材７がノズル本体６に接近したときにストッパー９をロック姿勢にするとロック部１１が操作部材７に係合して操作部材７がノズル本体６から離間するのを防止することができ、ストッパー９を非ロック姿勢にするとロック部１１は操作部材７に係合せず、かつ、ストッパー９は操作部材７の移動軌道上に配置される受け部１０を有し、ストッパー９が非ロック姿勢にあるときに操作部材７をノズル本体６に接近させると、受け部１０が操作部材７に押圧されることにより、ストッパー９がロック姿勢に回動させられる。
【選択図】図３【図１】
0006034462.tif 000002
【図２】
0006034462.tif 000003
【図３】
0006034462.tif 000004
【図４】
0006034462.tif 000005
【図５】
0006034462.tif 000006
【図６】
0006034462.tif 000007
【図７】
0006034462.tif 000008
【図８】
0006034462.tif 000009
【図９】
0006034462.tif 000010
【図１０】
0006034462.tif 000011
【図１１】
0006034462.tif 000012
【図１２】
0006034462.tif 000013
【図１３】
0006034462.tif 000014
【図１４】
0006034462.tif 000015